【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
本体部と、
該本体部上に配置されているカバー部と、
物体が導入される試料チャンバと
を含む試料チップであって、
該本体部および該カバー部の内部に複数のマイクロチャネルが形成され、
該試料チャンバは、該マイクロチャネルのうちの少なくとも１つに配置され、かつ光トラップを生成する装置の作業焦点領域内に位置付けられて、該物体の実験および操作が該光トラップにより行われることを特徴とする試料チップ。
【請求項２】
前記マイクロチャネルは、ある角度で交差して前記試料チャンバを形成する、少なくとも一対の物体供給マイクロチャネルおよび流体供給マイクロチャネルを含む請求項１に記載の試料チップ。
【請求項３】
前記少なくとも一対の物体供給マイクロチャネルおよび流体供給マイクロチャネルは、９０°の角度で交差している請求項２に記載の試料チップ。
【請求項４】
前記本体部が上に配置されている、ガラス顕微鏡スライドからなるベース部をさらに含む請求項１に記載の試料チップ。
【請求項５】
前記カバー部は透明材料から形成されている請求項４に記載の試料チップ。
【請求項６】
前記本体部および前記ベース部は透明材料から形成されている請求項５に記載の試料チップ。
【請求項７】
前記本体部および前記ベース部は不透明材料から形成されている請求項５に記載の試料チップ。
【請求項８】
前記本体部、前記カバー部、および前記ベース部のそれぞれを形成する材料は同じ材料である請求項４に記載の試料チップ。
【請求項９】
前記本体部、前記カバー部、および前記ベース部のそれぞれを形成する材料は異なる請求項４に記載の試料チップ。
【請求項１０】
前記透明材料は、前記試料チャンバに導入される物体の蛍光識別に使用される特定の波長を透過する請求項６に記載の試料チップ。
【請求項１１】
前記本体部および前記カバー部は、前記試料チャンバに導入される物体および該物体を含む媒体に対して不活性である材料で構成されるものおよび覆われるもののいずれかである請求項１に記載の試料チップ。
【請求項１２】
前記本体部は、フォトリソグラフィ、湿式化学エッチング、レーザアブレーション、反応性イオンエッチング（ＲＩＥ）、エアアブレーション法、射出成形、ＬＩＧＡ法、金属電鋳、およびエンボス加工からなる群からのものを含む微細加工技法に適合する材料で構成されている請求項１に記載の試料チップ。
【請求項１３】
前記本体部は、ポリメチルメタクリレート（ＰＭＭＡ）、ポリカーボネート、およびポリシロキサンからなる群からのものを含む高分子材料で構成されている請求項１に記載の試料チップ。
【請求項１４】
前記カバー部は、予め形成されたガラス顕微鏡スライドカバーである請求項１に記載の試料チップ。
【請求項１５】
前記マイクロチャネルのそれぞれは、入口部および出口部を有する請求項１に記載の試料チップ。
【請求項１６】
前記一対の前記物体供給マイクロチャネルおよび前記流体供給マイクロチャネルのそれぞれは、入口部および出口部を有する請求項２に記載の試料チップ。
【請求項１７】
前記一対の物体供給マイクロチャネルおよび流体供給マイクロチャネルのそれぞれは、独立した物体制御および操作部を形成する請求項１６に記載の試料チップ。
【請求項１８】
前記一対の物体供給マイクロチャネルおよび流体供給マイクロチャネルのそれぞれは、交差して実質的なＭ字形を形成する請求項１７に記載の試料チップ。
【請求項１９】
前記入口部の数および前記出口部の数は異なる請求項１５に記載の試料チップ。
【請求項２０】
前記マイクロチャネルは前記本体部に実質的なＴ字形で配置される請求項１５に記載の試料チップ。
【請求項２１】
前記マイクロチャネルは互いに平行に配置され、かつ互いに近接して湾曲形で配置される  請求項１５に記載の試料チップ。
【請求項２２】
前記入口部および前記出口部のそれぞれは、前記本体部の１つの縁部から奥に離れて整列し、前記入口部および前記出口部を汚染および損傷から保護するシール領域を形成している請求項１５に記載の試料チップ。
【請求項２３】
前記物体供給チャネルおよび前記流体供給チャネルのそれぞれは、前記試料チャンバのチャンバ進入チャネルにつながる先細り部を含む請求項１６に記載の試料チップ。
【請求項２４】
前記チャンバ進入チャネルは、前記物体供給マイクロチャネルの前記出口部および前記流体供給マイクロチャネルの前記出口部につながるフレア部で終わる請求項２３に記載の試料チップ。
【請求項２５】
前記マイクロチャネルのそれぞれの前記試料チャンバ内に配置されるチャンバ進入チャネルをさらに含む請求項１５に記載の試料チップ。
【請求項２６】
前記試料チャンバ内の、前記物体供給マイクロチャネルおよび前記流体供給マイクロチャネルの交点に配置されるチャンバ進入チャネルをさらに含む請求項１６に記載の試料チップ。
【請求項２７】
前記試料チャンバの前記チャンバ進入チャネルに形成されるバリアをさらに含む請求項２５または請求項２６に記載の試料チップ。
【請求項２８】
流体が、シリンジおよびＥＯＦの１つにより前記試料チャンバに導入される請求項４に記載の試料チップ。
【請求項２９】
前記シリンジはモータにより駆動される請求項２８に記載の試料チップ。
【請求項３０】
接着材料が、前記本体部から延びる前記シリンジの針に適用されて、前記針を前記ベース部および前記本体部に固定する請求項２９に記載の試料チップ。
【請求項３１】
前記流体の流速は約１００ミクロン／秒である請求項２８に記載の試料チップ。
【請求項３２】
前記光トラップは、前記物体を保持し、前記物体を前記マイクロチャネルの所定の出口部のうちの少なくとも１つへ向ける請求項１６に記載の試料チップ。
【請求項３３】
前記光トラップは、前記チャンバ進入チャネルの外側へ前記物体を移動させることができ、第１の流体が前記流体供給マイクロチャネルから押し流されて、第２の流体と入れ替わることができ、前記物体を、前記光トラップを用いて前記第２の流体と接触させることができる請求項２６に記載の試料チップ。
【請求項３４】
前記マイクロチャネルは、前記本体部の上面に配置される複数の溝により形成されている請求項１に記載の試料チップ。
【請求項３５】
前記カバー部は不透明材料から形成され、かつ前記本体部および前記ベース部は透明材料から形成される請求項４に記載の試料チップ。
【請求項３６】
前記バリア構造は、前記マイクロチャネルにおける流れの中で前記物体を整列させるために用いられている請求項２７に記載の試料チップ。
【請求項３７】
前記マイクロチャネルは、前記試料チャンバにつながる先細り部を含む請求項１に記載の試料チップ。
【請求項３８】
前記試料チャンバには、窪み、凹部、穴、ウェル、スロット、リッジ、バリア、溝、ペグ、柱、隆起している特徴部および窪んでいる特徴部を含む群のうちの少なくとも１つのパターニングされた基板が設けられている請求項１に記載の試料チップ。
【請求項３９】
前記パターニングは、フォトリソグラフィ法を用いて作成されている請求項３８に記載の試料チップ。
【請求項４０】
前記パターニングされた基板は、前記試料チャンバ内の前記物体の位置付けを補助している請求項３８に記載の試料チップ。
【請求項４１】
前記物体は、電気的、磁気的、重力的、または光学的力のうちの少なくとも１つにより、前記パターニングされた基板と相互作用するように位置決めされている請求項３８に記載の試料チップ。
【請求項４２】
前記位置付けは永久的および一時的のいずれかである請求項４１に記載の試料チップ。
【請求項４３】
本体部およびカバー部の内部に物体が導入される複数のマイクロチャネルが形成され、本体部上に配置されているカバー部と、
該光トラップを用いて物体が実験され操作されるように、光トラップを生成する装置の作業焦点領域において、該マイクロチャネルのうちの少なくとも１つに形成さているバリアと
を含む試料チップ。
【請求項４４】
前記マイクロチャネルのうちの前記１つに形成されるバリアをさらに含む請求項４３に記載の試料チップ。
【請求項４５】
前記バリアは、複数のバリア構造のうちの少なくとも１つから形成される請求項２７または４４に記載の試料チップ。
【請求項４６】
前記バリア構造は、前記本体部および前記カバー部のうちの少なくとも一方と一体形成されるロッドから離れている請求項４５に記載の試料チップ。
【請求項４７】
前記バリア構造は、前記マイクロチャネルの前記１つに取り外し可能に取り付されたロッドから離れている請求項４５に記載の試料チップ。
【請求項４８】
前記マイクロチャネルに導入される流体は、前記バリアを通って流れることができるが、前記マイクロチャネルに導入される前記物体は、前記バリアを通って流れることができない請求項２７または４４に記載の試料チップ。
【請求項４９】
前記バリア構造は、前記マイクロチャネルを通って流れる前記物体の経路と整列している請求項４８に記載の試料チップ。
【請求項５０】
前記バリア構造は、前記マイクロチャネルのそれぞれの幅の少なくとも一部に沿って延びている請求項４９に記載の試料チップ。
【請求項５１】
前記バリア構造は、前記マイクロチャネルのそれぞれの対向する下流壁の幅にわたって水平に延びる長さの少なくとも１つの細長いバリア構造を含む請求項４５に記載の試料チップ。
【請求項５２】
前記細長いバリア構造は、前記光トラップのうちの少なくとも１つにより所定位置に保持される請求項５１に記載の試料チップ。
【請求項５３】
前記マイクロチャネルを通る流れに垂直な向きになるように前記バリア構造が取り付けられている、複数のバリア凹部をさらに含む請求項４５に記載の試料チップ。
【請求項５４】
前記バリア構造のうちの少なくとも１つの形状に合わせて概ね構成され、前記バリアが必要ない場合に前記バリア構造の前記１つを格納することができる、少なくとも１つの格納凹部をさらに含む請求項４５に記載の試料チップ。
【請求項５５】
前記バリア構造は細長い形状である請求項５４に記載の試料チップ。
【請求項５６】
前記バリア構造は球状の形状である請求項５４に記載の試料チップ。
【請求項５７】
前記バリア構造は、前記光トラップのうちの少なくとも１つにより所定位置に保持される請求項４５に記載の試料チップ。
【請求項５８】
前記バリア構造は、制御多孔質ガラス、セラミックス、ポリスチレン、メチルスチレン、アクリルポリマー、常磁性体、トリオゾル、カーボングラファイト、二酸化チタン、ラテックス、架橋デキストラン、ナイロン、架橋ミセル、プラスチック、ダイヤモンド、石英、およびシリコンからなる群からの材料からなる請求項４５に記載の試料チップ。
【請求項５９】
前記バリア構造は異なる形状の組み合わせである請求項５４に記載の試料チップ。
【請求項６０】
前記バリア構造は、前記バリア凹部に取り外し可能に取り付けられている請求項５３に記載の試料チップ。
【請求項６１】
前記バリア構造は、所定サイズの物体が前記バリアを通過することを可能にし、外部から加えられる力により前記バリアにおいて前記所定サイズよりも大きいサイズの物体を保持する請求項４５に記載の試料チップ。
【請求項６２】
前記外部から加えられる力は電界である請求項６１に記載の試料チップ。
【請求項６３】
前記流体は、前記マイクロチャネル中の前記物体に影響を与えるか、前記物体に所定の影響を与えるかのいずれかである請求項４８に記載の試料チップ。
【請求項６４】
前記バリア構造を前記バリア凹部に挿入するために光学渦が用いられる請求項５３に記載の試料チップ。
【請求項６５】
前記バリア構造は、物体として前記マイクロチャネルに導入される請求項４５に記載の試料チップ。
【請求項６６】
前記バリアは、前記マイクロチャネルに導入された前記所定の物体への付着、前記物体の存在下での蛍光発光、物理的、化学的、および生物学的方法のいずれかでの前記物体への作用を含む、具体的な作業を行うように機能化されている請求項２７または４４に記載の試料チップ。
【請求項６７】
前記マイクロチャネルに導入された前記物体に、前記物体が前記凹部に位置決めされるときに気体および液体のいずれかが逃げることを容易にする溝が設けられている請求項５３に記載の試料チップ。
【請求項６８】
前記ロッドは、前記物体供給マイクロチャネルのそれぞれの前記チャンバ進入チャネルを介して物体の経路と整列している請求項４７に記載の試料チップ。
【請求項６９】
前記ロッドは、前記流体供給マイクロチャネルの前記チャンバ進入チャネルの幅の少なくとも一部に沿って延びている請求項４７に記載の試料チップ。
【請求項７０】
前記光トラップは、前記試料チャンバに導入された物体を前記バリアの上流側に対して位置付けて保持する請求項２７または４４に記載の試料チップ。